(57)【要約】【課題】バネ部材のバネ部が同一方向に折曲される構成であったので、方向性があり、また、バネ部が内周側に形成されていたので、レーザービームへの干渉が問題となった。【解決手段】バネ部材２，１０の中央部に半導体レーザー１から出射されるレーザービームの光路を確保する光路孔７を形成すると共に、前記バネ部材２の外周部に複数のバネ部８，１０ａを放射状に前記光軸方向に互い違いに折曲してバネ性を付与するように形成している。【選択図】図１ 
2005032371.tif 000002
【特許請求の範囲】
【請求項１】
半導体レーザーと、この半導体レーザーから出射されるレーザービームを回折する回折格子とをハウジングに組み込んで構成される光学ヘッド装置であって、半導体レーザー及び回折格子が挿入されるべく形成されるハウジングの孔に、半導体レーザーのレーザービームを出射する出射面と回折格子との間にバネ部材を介在させて半導体レーザー及び回折格子を光軸方向に重ねて設置し、前記バネ部材の中央部には半導体レーザーから出射されるレーザービームの光路を確保する光路孔が形成されると共に、前記バネ部材の外周部には複数のバネ部が放射状に前記光軸方向に互い違いに折曲してバネ性を付与するように形成されていることを特徴とする光学ヘッド装置。
【請求項２】
前記半導体レーザー及び回折格子は半導体レーザーの出射面と回折格子との間にバネ部材を介在させてホルダーに装填されてハウジングの孔に挿入されることを特徴とする請求項１記載の光学ヘッド装置。
【請求項３】
前記半導体レーザーはレーザーホルダーに装填されてハウジングの孔に挿入され、前記バネ部材はレーザーホルダーと回折格子との間に介在されることを特徴とする請求項１記載の光学ヘッド装置。
【発明の詳細な説明】
【技術分野】
【０００１】
本発明は、半導体レーザー及び回折格子がハウジングに組み込んで構成される光学ヘッド装置に関し、特に、回折格子をハウジングに設置する方法を工夫した光学ヘッド装置に関する。
【背景技術】
【０００２】
ディスク等の信号記録媒体に対して光学的に信号の読み取り、あるいは書き込みを行う光学ヘッド装置としては、半導体レーザーから出射されるレーザービームを回折格子により回折して回折光ビームを形成し、０次光ビームの他に±１次回折光ビームを使用し、３ビーム法や差動プッシュプル法によるトラッキング制御に対応するものが主流となっている。
【０００３】
このような回折格子を備える光学ヘッド装置においては、ハウジングに半導体レーザーから出射されるレーザービームの光路を確保する筒状の孔を形成し、この孔に回折格子、バネ部材及び半導体レーザーをそれぞれ順番に光軸方向に重なるように挿入するようにし、半導体レーザーを所定位置に取り付けて前記バネ部材により前記回折格子を押圧すると共に、前記孔に形成される小径部分により回折格子の前方を位置決めして回折格子が取り付けられていた。（特許文献１参照）
このように回折格子をハウジングに設置し、光軸方向に変位しないようにすると共に、回動可能とし、回折格子を回動させて信号記録媒体の信号面に照射される各回折光ビームの光スポットの位置を信号トラックに対して正しく配置するように格子方向の調整を可能にしていた。
【特許文献１】特開２００１−１４７１１号公報
【発明の開示】
【発明が解決しようとする課題】
【０００４】
特許文献１に示されるバネ部材は、バネ性を付与する花弁状のバネ部が同一方向に折曲される構成であるので、方向性があった。その為、組み立て時の作業を煩雑にする要因になった。
【０００５】
また、前記バネ部材は、バネ部がバネ部材の内周側に形成されるためにバネ性を付与するのに不十分な長さとなったり、あるいはバネ部がその形状ゆえレーザービームに干渉してしまった。
【課題を解決するための手段】
【０００６】
本発明は、バネ部材の中央部に半導体レーザーから出射されるレーザービームの光路を確保する光路孔を形成すると共に、前記バネ部材の外周部に複数のバネ部を放射状に前記光軸方向に互い違いに折曲してバネ性を付与するように形成している。
【発明の効果】
【０００７】
本発明の光学ヘッド装置は、バネ部材の外周部に複数のバネ部を放射状に光軸方向に互い違いに折曲してバネ性を付与するようにしているので、バネ部材の方向性をなくすことが出来、組み立て時の作業性を良好に出来る利点がある。
【０００８】
また、バネ部材の中央部にレーザービームの光路を確保しているので、レーザービームの干渉を抑制できると共に、バネ性を付与するバネ部を長くすることが出来、十分なバネ性を確保するのに有利である。
【実施例１】
【０００９】
図１は、本発明の光学ヘッド装置の一実施例を示す展開斜視図である。１は半導体レーザー、２はバネ部材、３は座金、４は半導体レーザー１から出射されたレーザービームを０次光ビームの他に±１次回折光ビームを形成するべく回折する回折格子、５は半導体レーザー１からの熱を放熱するヒートシンクの役割を担うホルダーである。
【００１０】
回折格子４及び半導体レーザー１をハウジングに設置する場合、図２に示す如く、ホルダー５に回折格子４、座金３、バネ部材２及び半導体レーザー１を順に重ねて装填し、このホルダー５をハウジング６に形成される孔に収納することにより回折格子４及び半導体レーザー１をハウジング６の所定位置に設置する。
【００１１】
ホルダー５をハウジング６の孔に収納する場合、取付け板（図示せず）を用いて、あるいはかしめや圧入等により半導体レーザー１及びホルダー５を後方から押圧し、ホルダー５をハウジング６に固定すると共に、半導体レーザー１をホルダー５に固定する。これにより半導体レーザー１、バネ部材２、座金３及び回折格子４を順に押圧し、半導体レーザー１が後面で固定されているからバネ部材２により発生される弾性力により座金３を介して回折格子４の後面が押圧されて回折格子４の前面がホルダー５の孔の前方端面に押し付けられて位置決めされる。
【００１２】
ところで、バネ部材２は、図３（イ）の平面図及び図３（ロ）の斜視図に示す如く、中央部に半導体レーザー１から出射されるレーザービームの光路を確保する光路孔７が形成されると共に、外周部にバネ性を付与する６枚のバネ部８が放射状に前記レーザービームの光軸方向に互い違いに折曲して形成されている。
【００１３】
その為、バネ部８の形状がレーザービームの干渉に影響を与えないと共に、バネ部８をバネ性を付与するのに十分な長さにすること出来、また、バネ部材２の表裏の方向性も無く、組み立て時の作業性が良好になる。
【実施例２】
【００１４】
図４は、本発明の光学ヘッド装置の別の実施例を示す展開斜視図である。図４において、図１の光学ヘッド装置と相違する点は半導体レーザー１のみが装填されるヒートシンクの役割を担うレーザーホルダー９が使用され、それに伴って部品の配列の順番が相違すると共に、バネ部材１０及び座金１１の径が大となっている。尚、図１の光学ヘッド装置と同一形状の半導体レーザー１及び回折格子４には同一の図番を付している。
【００１５】
回折格子４及び半導体レーザー１をハウジングに設置する場合、図５に示す如く、レンズホルダー９に半導体レーザー１を装填し、ハウジング１２に形成される孔に回折格子４、座金１１、バネ部材１０及びレンズホルダー９に装填された半導体レーザー１を順に重ねて挿入する。
【００１６】
その後、半導体レーザー１及びレンズホルダー９を後方から押圧し、レンズホルダー９をハウジング１２に固定すると共に、半導体レーザー１をレンズホルダー９に固定する。これによりバネ部材１０により発生される弾性力により座金１１を介して回折格子４の後面を押圧して回折格子４の前面をハウジング１２の孔の小径部分１３により位置決めして回折格子４をハウジング１２の所定位置に設置する。
【００１７】
この実施例においても図１の光学ヘッド装置と同様にバネ部材１０のバネ部１０ａの形状がレーザービームの干渉に影響を与えないと共に、バネ部１０ａの長さを確保することが図１の光学ヘッド装置より更に有利であり、十分なバネ性を付与する長さに設定出来、
また、バネ部材１０の表裏の方向性も無い。
【産業上の利用可能性】
【００１８】
バネ部材の表裏の方向性を気にせずに組立作業を行って半導体レーザー及び回折格子に限らず光学部品を所定間隔離して重ねて配置する場合に適用できる。
【図面の簡単な説明】
【００１９】
【図１】本発明の光学ヘッド装置の一実施例を示す展開斜視図である。（実施例１）
【図２】図１の光学ヘッド装置における回折格子４及び半導体レーザー１をハウジングに設置した場合を説明する断面図である。（実施例１）
【図３】バネ部材２の形状を説明する図３（イ）の平面図及び図３（ロ）の斜視図である。
【図４】本発明の光学ヘッド装置の他の実施例を示す展開斜視図である。（実施例２）
【図５】図４の光学ヘッド装置における回折格子４及び半導体レーザー１をハウジングに設置した場合を説明する断面図である。（実施例２）
【符号の説明】
【００２０】
１        半導体レーザー
２，１０        バネ部材
４        回折格子
５        ホルダー
９        レンズホルダー
【図１】
2005032371.tif 000003
【図２】
2005032371.tif 000004
【図３】
2005032371.tif 000005
【図４】
2005032371.tif 000006
【図５】
2005032371.tif 000007